(57)【要約】【課題】操作性を向上させることを目的とする。【解決手段】複数の設定項目と対応した複数の表示部品を並べた画像を、表示装置に表示させた設定画面に対する操作を受け付ける入力受付部と、前記表示部品を拡大又は縮小する操作を受け付けて、前記表示部品の表示領域内に表示させる表示情報を、前記表示部品の大きさに応じた表示情報に変更する表示制御部と、を有する。【選択図】図５
2017058855.tif 000002
【特許請求の範囲】
【請求項１】
複数の設定項目と対応した複数の表示部品を並べた画像を、表示装置に表示させた設定画面に対する操作を受け付ける入力受付部と、
前記表示部品を拡大又は縮小する操作を受け付けて、前記表示部品の表示領域内に表示させる表示情報を、前記表示部品の大きさに応じた表示情報に変更する表示制御部と、を有する情報処理装置。
【請求項２】
前記設定画面には、
前記複数の表示部品に対して拡大又は縮小の設定を行う第一の設定用表示部品と、
個々の前記表示部品に対して拡大又は縮小の設定を行う第二の設定用表示部品と、が表示される、請求項１記載の情報処理装置。
【請求項３】
前記表示制御部は、
拡大された前記表示部品の表示領域内に、前記表示部品と対応する前記設定項目に対する設定値を設定する第三の設定用表示部品を表示させ、
前記第三の設定用表示部品の表示領域に対する操作を受け付けて、前記操作に応じた設定値の設定要求を行う請求項１又は２記載の情報処理装置。
【請求項４】
前記第一又は前記第二の設定用表示部品は、前記第一又は前記第二の設定用表示部品に対する操作に応じて、前記表示部品の拡大率を設定し、
前記表示制御部は、
前記表示部品と、前記表示部品の拡大率とを対応付けた拡大率テーブルと、
前記設定項目と、前記設定項目と対応する表示部品に表示させる表示情報とが、前記拡大率毎に対応付けられた表示情報テーブルと、を参照し、
前記表示部品の拡大率と対応付けられた表示情報を前記表示部品の表示領域内に表示させる請求項３の何れか一項に記載の情報処理装置。
【請求項５】
前記表示部品の拡大率と対応付けられた表示情報に、前記第三の設定用表示部品が含まれるとき、
前記第三の設定用表示部品の表示領域に対する操作と、前記表示部品と対応する設定項目に対する設定値を設定する処理の実行と、を対応付ける機能対応付け部を有する請求項４の何れか一項に記載の情報処理装置。
【請求項６】
入力されたユーザ情報に基づくユーザ認証を行うユーザ認証部を有し、
前記表示制御部は、
認証されたユーザ情報と対応付けられた前記拡大率テーブルと、前記表示情報テーブルと、を参照し、前記表示部品の拡大率と対応付けられた表示情報を前記表示部品の表示領域内に表示させる請求項４又は５記載に記載の情報処理装置。
【請求項７】
請求項１乃至６の何れか一項に記載の情報処理装置を有する画像処理装置。
【請求項８】
複数の設定項目と対応した複数の表示部品を並べた画像を表示装置に表示させた設定画面に対する操作を受け付け、
前記表示部品を拡大又は縮小する操作を受け付けて、前記表示部品の表示領域内に表示させる表示情報を、前記表示部品の大きさに応じた表示情報に変更する、処理をコンピュータに実行させるプログラム。
【請求項９】
情報処理装置と、前記情報処理装置と通信を行う本体装置と、を有する情報処理システムであって、
前記情報処理装置は、
複数の設定項目と対応した複数の表示部品を並べた画像を、表示装置に表示させた設定画面に対する操作を受け付ける入力受付部と、
前記表示部品を拡大又は縮小する操作を受け付けて、前記表示部品の表示領域内に表示させる表示情報を、前記表示部品の大きさに応じた表示情報に変更する表示制御部と、を有する情報処理システム。
【請求項１０】
複数の設定項目と対応した複数の表示部品を並べた画像を、表示装置に表示させた設定画面に対する操作を受け付ける入力受付部と、
前記表示部品を拡大又は縮小する操作を受け付けて、前記表示部品の表示領域内に表示させる表示情報を、前記表示部品の大きさに応じた表示情報に変更する表示制御部と、を有する画像処理装置。
【請求項１１】
複数のアプリケーションと対応した複数の表示部品を並べた画像を、表示装置に表示させたホーム画面に対する操作を受け付ける入力受付部と、
前記表示部品を拡大又は縮小する操作を受け付けて、前記表示部品の表示領域内に表示させる表示情報を、前記表示部品の大きさに応じた表示情報に変更する表示制御部と、を有し、
前記表示制御部は、
拡大された前記表示部品の表示領域内に、前記表示部品と対応する前記アプリケーションに対する操作を受け付ける操作用表示部品を表示させる情報処理装置。
【請求項１２】
前記操作用表示部品は、
前記アプリケーションに有する設定項目の設定値の設定を行う設定指示部品と、
前記アプリケーションによる処理の実行指示を行う実行指示部品と、を含む請求項１１記載の情報処理装置。
【発明の詳細な説明】
【技術分野】
【０００１】
本発明は、情報処理装置、プログラム、情報処理システム及び画像処理装置に関する。
【背景技術】
【０００２】
従来の画像処理装置等では、タッチパネル等に表示された設定画面において、設定項目と対応した表示部品を操作することで各種の設定を行うことが知られている。また、従来では、表示装置に表示させる操作画面の内容を編集することが知られている。
【発明の概要】
【発明が解決しようとする課題】
【０００３】
表示部品を並べて表示させた従来の設定画面は、表示部品が小さいと感じるユーザにとっては、意図しない表示部品に触れてしまう等の誤操作を誘発しやすい画面となる可能性がある。また、従来の設定画面は、表示部品が大きいと感じるユーザにとっては、設定項目の一覧としての情報が不足した画面となり得る。
【０００４】
このように、設定画面における表示部品の最適な大きさは、ユーザの主観や操作の習熟度によって異なる。
【０００５】
しかしながら、従来の技術では、画面における表示部品の大きさを変更することができず、操作性の向上の妨げとなる可能性がある。
【０００６】
開示の技術は、操作性を向上させることを目的としている。
【課題を解決するための手段】
【０００７】
開示の技術は、複数の設定項目と対応した複数の表示部品を並べた画像を、表示装置に表示させた設定画面に対する操作を受け付ける入力受付部と、前記表示部品を拡大又は縮小する操作を受け付けて、前記表示部品の表示領域内に表示させる表示情報を、前記表示部品の大きさに応じた表示情報に変更する表示制御部と、を有する。
【発明の効果】
【０００８】
開示の技術によれば、操作性を向上させることができる。
【図面の簡単な説明】
【０００９】
【図１】第一の実施形態のホーム画面を説明する図である。
【図２】第一の実施形態のコピーアプリケーションのトップ画面の例を示す第一の図である。
【図３】第一の実施形態のコピーアプリケーションのトップ画面の例を示す第二の図である。
【図４】第一の実施形態のコピーアプリケーションのトップ画面の例を示す第三の図である。
【図５】第一の実施形態のコピーアプリケーションのトップ画面の例を示す第四の図である。
【図６】画像処理装置のハードウェア構成を説明する図である。
【図７】画像処理装置の操作装置及び操作装置に含まれるプログラム群の階層構造の一例を示す図である。
【図８】第一の実施形態の操作装置の機能構成を説明する図である。
【図９】第一の実施形態のコピー処理部の機能構成を説明する図である。
【図１０】第一の実施形態の拡大率テーブルの一例を示す図である。
【図１１】第一の実施形態の表示情報テーブルの一例を示す図である。
【図１２】第一の実施形態の設定項目テーブルの一例を示す図である。
【図１３】第一の実施形態のコピー処理部の動作を説明するフローチャートである。
【図１４】第二の実施形態のコピー処理部の機能構成を説明する図である。
【図１５】第二の実施形態の拡大率テーブルの一例を示す図である。
【図１６】第二の実施形態の表示情報テーブルの一例を示す図である。
【図１７】第二の実施形態のコピー処理部の動作を説明するフローチャートである。
【図１８】第二の実施形態のコピーアプリケーションのトップ画面の例を示す図である。
【図１９】第三の実施形態のホーム画面の一例を示す第一の図である。
【図２０】第三の実施形態のホーム画面の一例を示す第二の図である。
【図２１】第三の実施形態のホーム処理部の機能構成を説明する図である。
【図２２】第三の実施形態の拡大率テーブルの一例を示す図である。
【図２３】第三の実施形態の表示情報テーブルの一例を示す図である。
【図２４】第三の実施形態のアプリテーブルの一例を示す図である。
【図２５】第三の実施形態のホーム処理部の動作を説明する第一のフローチャートである。
【図２６】第三の実施形態のホーム処理部の動作を説明する第二のフローチャートである。
【発明を実施するための形態】
【００１０】
（第一の実施形態）
以下に図面を参照して第一の実施形態について説明する。図１は、第一の実施形態のホーム画面を説明する図である。
【００１１】
図１に示すホーム画面１は、本実施形態の画像処理装置の有する操作装置の操作パネル等に表示される。本実施形態のホーム画面１は、画像処理装置の有する機能を実現するアプリケーションと対応する表示部品（アイコン）１１〜１５が表示される。
【００１２】
本実施形態では、ホーム画面用の画像において、操作装置の操作パネルに対応する領域を表示領域とし、操作パネルに表示させることで、ホーム画面１が表示される。表示部品１１〜１５は、ホーム画面用の画像に含まれる画像である。
【００１３】
表示部品１１はコピー機能を実現するコピーアプリケーションに対応し、表示部品１２はスキャン機能を実現するスキャンアプリケーションに対応し、表示部品１３はファクス機能を実現するファックスアプリケーションに対応する。
【００１４】
また、表示部品１４はプリンタ機能を実現するプリンタアプリケーションに対応し、表示部品１５はメディア機能を実現するメディアアプリケーションに対応する。尚、メディア機能とは、画像処理装置が可搬型の記憶媒体に記憶された情報を読み出して、この情報に対して各種の処理を行う機能である。
【００１５】
また、本実施形態のホーム画面１には、表示部品１１〜１６以外にも、例えばウィジェット１７等が配置されていても良い。
【００１６】
本実施形態の画像処理装置では、ホーム画面１において表示部品が選択されると、選択された表示部品と対応するアプリケーションを起動し、アプリケーション毎のトップ画面を表示させる。
【００１７】
トップ画面は、アプリケーション毎の設定項目と対応する表示部品を表示する。本実施形態では、トップ画面に表示された表示部品の大きさを、拡大又は縮小することができる。
【００１８】
以下に、ホーム画面１において表示部品１１が選択され、コピーアプリケーションが起動して、コピーアプリケーションのトップ画面が表示された場合について説明する。
【００１９】
図２は、第一の実施形態のコピーアプリケーションのトップ画面の例を示す第一の図である。
【００２０】
図２に示すトップ画面２は、画像処理装置の有する操作装置の操作パネル等に表示される画面である。本実施形態では、ホーム画面１において表示部品１１が操作されると、ホーム画面１から遷移する画面である。尚、本実施形態における操作とは、例えば画像処理装置の有する操作装置の操作パネルを触れる（タッチする）ことを示す。
【００２１】
トップ画面２は、トップ画面用の画像を操作パネルに表示させたものである。トップ画面用の画像は、画像処理装置において実行されるコピーアプリケーションに関する設定項目と対応する表示部品２１〜２８を含む。すなわち、トップ画面２は、コピーアプリケーションに対する設定を行う設定画面の１つである。
【００２２】
トップ画面２では、表示部品２１〜２５と、表示部品２６〜２８の一部とが表示されている。トップ画面２において、各表示部品には、表示部品と対応する設定項目名と、設定値とが表示される。
【００２３】
具体的には、例えば表示部品２１は、表示部品２１と対応する設定項目名である「カラー／白黒」と、この設定項目の設定値である「カラー」が表示されている。同様に、表示部品２２では、表示部品２２と対応する設定項目名である「変倍」と、この設定項目の設定値である「１００％」が表示されている。
【００２４】
よって、本実施形態のトップ画面２では、各表示部品を表示させることで、設定項目と、各設定項目に設定された設定値との一覧を表示させることができる。
【００２５】
本実施形態では、トップ画面２において、各表示部品が選択される操作が成されると、操作パネルの表示がトップ画面２から選択された表示部品と対応する設定項目の詳細設定画面に遷移する。詳細設定画面では、各設定項目の設定値の変更等を行うことができる。
【００２６】
本実施形態のトップ画面用の画像は、表示部品２１〜２８の大きさを設定する設定部品５１、５２を含む。設定部品５１は、トップ画面２に含まれる全ての表示部品を一律に拡大／縮小する設定を行うものである。以下の説明では、トップ画面２に含まれる全ての表示部品を一律に拡大／縮小することを全体拡大設定又は全体縮小設定と呼ぶ。
【００２７】
設定部品５２は、個々の表示部品の拡大を行う設定を行うものである。以下の説明では、個々の表示部品の拡大を行う設定を、個別設定と呼ぶ。
【００２８】
また、本実施形態の設定部品は、画像であり、設定を行うための入力を受け付ける設定用表示部品である。
【００２９】
トップ画面２では、設定部品５１を拡大／縮小バー５０上でスライドさせることで、トップ画面用の画像における表示部品２１〜２８の大きさが変更される。言い換えれば、トップ画面２に表示される表示部品２１〜２５の表示領域の大きさが変更される。
【００３０】
より具体的には、本実施形態では、設定部品５１を拡大／縮小バー５０の拡大側に近づけることで、トップ画面用の画像における操作パネルと対応する表示領域が狭くなり、トップ画面２における表示部品２１〜２５の表示領域が広くなる。つまり、トップ画面２における表示部品２１〜２５が拡大される。また、本実施形態では、設定部品５１を拡大／縮小バー５０の縮小側に近づけることで、トップ画面用の画像における操作パネルと対応する表示領域が広くなり、トップ画面２における表示部品２１〜２５の表示領域が狭くなる。つまり、トップ画面２における表示部品２１〜２５が縮小される。尚、本実施形態では、図２に示すトップ画面２は、拡大も縮小もされていない基準となる画面とした。
【００３１】
トップ画面２では、矢印Ｙが示す方向のスクロール操作を受け付けると、トップ画面用の画像における操作パネルの表示領域の位置に応じた表示部品が表示される。トップ画面用の画像には、トップ画面２に表示された表示部品２１〜２８以外の表示部品も含まれる。
【００３２】
したがって、トップ画面２において、トップ画面用の画像がスクロールされた場合には、トップ画面２に表示される表示部品は、表示部品２１〜２８以外のものが表示されても良い。
【００３３】
次に、図３乃至図５を参照し、トップ画面２において表示部品の表示領域の大きさが縮小／拡大された場合について説明する。
【００３４】
図３は、第一の実施形態のコピーアプリケーションのトップ画面の例を示す第二の図である。
【００３５】
図３に示すトップ画面２Ａは、設定部品５１により全体縮小設定が行われた例を示している。トップ画面２Ａでは、設定部品５１が拡大／縮小バー５０において縮小側に近づけられており、表示部品２１〜２８を縮小した縮小表示部品２１Ａ〜２８Ａが表示される。また、トップ画面２Ａでは、トップ画面用の画像における操作パネルと対応する表示領域を広げることで、トップ画面２に表示されていなかった縮小表示部品２９Ａ〜３２Ａが表示される。
【００３６】
また、本実施形態の縮小表示部品２１Ａ〜２８Ａには、各表示部品と対応する設定項目の設定値のみが表示される。
【００３７】
例えば縮小表示部品２１Ａでは、縮小表示部品２１Ａと対応する設定項目「カラー／白黒」の設定値「カラー」のみが表示される。同様に、縮小表示部品２２Ａでは、縮小表示部品２２Ａと対応する設定項目「変倍」の設定値「１００％」のみが表示される。
【００３８】
このように、トップ画面２Ａにおける各縮小表示部品は、縮小前のトップ画面２に表示される各表示部品と比較して、表示される情報の量が少なくなる。
【００３９】
また、本実施形態のトップ画面２Ａに表示される縮小表示部品の数は、トップ画面２に表示される表示部品の数よりも多くなる。したがって、トップ画面２Ａは、設定項目の一覧としては、トップ画面２よりも多くの設定項目と、設定項目の値を表示していることになる。
【００４０】
以上のように、本実施形態では、トップ画面に表示される表示部品を縮小することで、トップ画面上により多くの設定項目と対応した表示部品を表示することができる。したがって、設定部品５１を縮小側へ近づけることは、トップ画面に設定項目の一覧としての情報をより多く表示させたいユーザにとって有用である。
【００４１】
図４は、第一の実施形態のコピーアプリケーションのトップ画面の例を示す第三の図である。
【００４２】
図４に示すトップ画面２Ｂは、設定部品５１により全体拡大設定が行われた例を示している。トップ画面２Ｂでは、設定部品５１が拡大／縮小バー５０において拡大側に近づけられており、表示部品２１〜２８を拡大した拡大表示部品２１Ｂ、２２Ｂ、拡大表示部品２３Ｂ、２４Ｂの一部が表示される。また、トップ画面２Ｂでは、トップ画面用の画像における操作パネルと対応する表示領域を狭くすることで、トップ画面２に表示されていた表示部品２５〜２８がトップ画面２Ｂに表示されなくなる。
【００４３】
また、本実施形態の拡大表示部品２１Ｂ〜２４Ｂには、各表示部品と対応する設定項目名と、設定項目の設定値に加え、設定項目に設定値を設定するための設定部品が表示される。
【００４４】
例えば拡大表示部品２１Ｂでは、拡大表示部品２１Ｂと対応する設定項目名である「カラー／白黒」と、設定値である「カラー」が表示される。また、拡大表示部品２１Ｂでは、設定項目「カラー／白黒」に設定値を設定するための設定部品２１１、２１２、２１３が表示される。
【００４５】
設定部品２１１は、設定項目「カラー／白黒」の設定値である「白黒」に対応する。設定部品２１２は、設定項目「カラー／白黒」の設定値である「自動カラー」に対応する。設定部品２１３は、設定項目「カラー／白黒」の設定値である「フルカラー」に対応する。
【００４６】
拡大表示部品２１Ｂにおいて、例えば設定部品２１１を選択する操作が成されると、設定項目「カラー／白黒」には、設定部品２１１と対応する値である「白黒」が設定される。
【００４７】
また、例えば拡大表示部品２２Ｂでは、拡大表示部品２２Ｂと対応する設定項目名である「変倍」と、設定値である「１００％」が表示される。また、拡大表示部品２２Ｂでは、設定項目「変倍」に値を設定するための設定部品２２１〜２２４が表示される。
【００４８】
尚、拡大表示部品２２Ｂに表示される設定部品２２１〜２２４は、用紙サイズに合わせて変倍を行う際の設定部品である。
【００４９】
設定部品２２１は、設定項目「変倍」に設定される値である「Ａ３」に対応する。設定部品２２２は、設定項目「変倍」に設定される値である「Ｌｅｔｔｅｒ」に対応する。設定部品２２３は、設定項目「変倍」に設定される値である「Ａ４」に対応する。設定部品２２４は、設定項目「変倍」に設定される値である「封筒」に対応する。
【００５０】
拡大表示部品２２Ｂにおいて、例えば設定部品２２３を選択する操作が成されると、設定項目「変倍」には、設定部品２２３と対応する値「Ａ３」が設定される。この場合、画像処理装置は、例えば読み取った画像のサイズがＡ３以外のサイズであった場合に、この画像をＡ３サイズに変倍して出力する。
【００５１】
同様に、拡大表示部品２３Ｂでは、拡大表示部品２３Ｂと対応する設定項目名である「部数」と、設定値である「５部」が表示される。また、拡大表示部品２３Ｂでは、設定項目「部数」に値を設定するための設定部品２３１、２３２が表示される。拡大表示部品２４Ｂでは、拡大表示部品２４Ｂと対応する設定項目名である「濃度」と、設定値である「薄い」が表示される。また、拡大表示部品２４Ｂでは、設定項目「濃度」に設定値を設定するための設定部品２４１、２４２が表示される。
【００５２】
以上のように、トップ画面２Ｂにおける各拡大表示部品は、トップ画面２に表示される各表示部品と比較して、表示される情報の量が多くなる。
【００５３】
また、本実施形態のトップ画面２Ｂに表示される拡大表示部品の数は、トップ画面２に表示される表示部品の数よりも少なく。したがって、トップ画面２Ｂは、設定項目の一覧としては、トップ画面２よりも少ない数の設定項目の値を表示していることになる。
【００５４】
以上のように、本実施形態では、トップ画面に表示される表示部品を拡大することで、トップ画面上の表示部品の中に、表示部品と対応する設定項目に関するより多くの情報を表示させることができる。また、表示部品を拡大することで、拡大表示部品内に表示された設定部品により、対応する設定項目の設定を行うことができる。尚、表示部品の中とは、言い換えれば、トップ画面における表示部品の表示領域の中である。
【００５５】
したがって、設定項目の値を変更する際に、トップ画面２を詳細設定画面へ遷移させる手間を省きたい場合等には、設定部品５１を拡大側へ近づけることが有用である。
【００５６】
図５は、第一の実施形態のコピーアプリケーションのトップ画面の例を示す第四の図である。
【００５７】
図５に示すトップ画面２Ｃは、設定部品５２により、個別設定が成されたものである。トップ画面２Ｃにおいて、設定部品５２が選択されると、表示部品に対するピンチアウト等の操作により、表示部品を個別に拡大することができる。
【００５８】
図５に示すトップ画面２Ｃは、表示部品２１が拡大された拡大表示部品２１Ｂとなっている。拡大表示部品２１Ｂには、トップ画面２Ｂに表示された拡大表示部品２１Ｂと同様に、設定部品２１１、２１２、２１３が表示されている。
【００５９】
また、トップ画面２Ｃに表示される表示部品２２〜２５は、図２のトップ画面２に表示された表示部品２２〜２５と同様である。
【００６０】
以上のように、トップ画面２Ｃでは、個別設定を行うことで、個別の表示部品のみを拡大させ、設定部品を含む拡大表示部品とすることができる。したがって、本実施形態では、例えば設定が変更される頻度が高い設定項目と対応する表示部品のみを拡大表示部品としておけば、設定を変更する度に詳細設定画面に遷移させる操作が不要となり、利便性の向上に貢献することができる。
【００６１】
尚、本実施形態では、設定部品５１による全体拡大設定又は全体縮小設定と、設定部品５２による個別設定とを同時に行っても良い。
【００６２】
具体的には、例えばトップ画面２Ａに示すように、全体縮小設定を行った後に、さらに個別設定により、縮小表示部品２１Ａのみを拡大させて、表示部品２１や拡大表示部品２１Ｂとしても良い。
【００６３】
また、本実施形態では、設定部品５２による個別設定の例として、表示部品を個別に拡大する例を示したが、個別設定には、表示部品を個別に縮小する場合も含まれる。表示部品を個別に縮小する場合には、表示部品に対してピンチイン等の操作を行えば良い。この場合、例えばトップ画面２に示すように、全ての表示部品に拡大／縮小の設定がなされていない状態において、表示部品２１を個別に縮小し、縮小表示部品２１Ａとしても良い。
【００６４】
以下に、本実施形態の画像処理装置について説明する。図６は、画像処理装置のハードウェア構成の一例を示す図である。
【００６５】
本実施形態の画像処理装置１００は、複合機等のＭＦＰであり、例えば、コピー機能、スキャン機能、ＦＡＸ機能、プリンタ機能等の画像処理機能を有している。
【００６６】
図６に示すように、画像処理装置１００は、操作装置２００及び本体装置３００を有している。
【００６７】
操作装置２００は、本体装置３００に実行させる画像処理機能の選択、画像処理機能を実行させるための各種設定値の入力、画像処理機能の実行を開始させるための実行指示の入力、表示画面の切り替え等、ユーザが各種操作を行う際に用いられる。
【００６８】
本体装置３００は、操作装置２００におけるユーザの各種操作に応じて、画像処理機能の実行等の各種の処理を実行する。また、本体装置３００は、操作装置２００に対して、各種のメッセージを表示させるための要求を行う画像処理装置の一種である。
【００６９】
本実施形態の操作装置２００は、ＣＰＵ（Central Processing Unit）２０１、ＲＯＭ（Read Only Memory）２０２、及びＲＡＭ（Random Access Memory）２０３を有している。また、操作装置２００は、フラッシュメモリ２０４、操作パネル２０５、接続Ｉ／Ｆ２０６、及び通信Ｉ／Ｆ２０７を有している。これら各ハードウェアは、バス２０８を介して相互に接続されている。
【００７０】
ＣＰＵ２０１は、ＲＡＭ２０３をワークエリアとしてＲＯＭ２０２又はフラッシュメモリ２０４に記憶された各種プログラムを実行することにより、操作装置２００全体を制御する演算装置である。
【００７１】
ＲＯＭ２０２は、電源を切ってもデータを保持することができる不揮発性の半導体メモリ（記憶装置）である。ＲＡＭ２０３は、プログラムやデータを一時保存する揮発性の半導体メモリ（記憶装置）である。
【００７２】
フラッシュメモリ２０４は、不揮発性の記憶媒体であり、ＣＰＵ２０１が実行する各種プログラム（例えば、本実施形態を実現するプログラム）や各種データを記憶する。
【００７３】
操作パネル２０５は、タッチパネル等であり、ユーザが各種操作を行う際に用いられる。また、操作パネル２０５は、各種のメッセージを表示する。すなわち、操作パネル２０５は、例えば、画像処理装置１００の各種機能に対してユーザが各種操作を行うためのＧＵＩ（Graphical User Interface）表示画面や、画像処理装置１００の処理結果等の情報（エラーメッセージやガイダンスメッセージ等）を表示する。
【００７４】
接続Ｉ／Ｆ２０６は、通信路２０９を介して本体装置３００と通信するためのインタフェースである。接続Ｉ／Ｆ２０６には、例えば、ＵＳＢ（Universal Serial Bus）規格のインタフェースが用いられる。
【００７５】
通信Ｉ／Ｆ２０７は、他の機器等と通信するためのインタフェースである。通信Ｉ／Ｆ２０７は、例えば、Ｗｉ−Ｆｉ規格の無線ＬＡＮが用いられる。
【００７６】
本実施形態の本体装置３００は、ＣＰＵ３０１、ＲＯＭ３０２、及びＲＡＭ３０３を有している。また、本体装置３００は、ＨＤＤ（Hard Disk Drive）３０４、画像処理エンジン３０５、接続Ｉ／Ｆ３０６、及び通信Ｉ／Ｆ３０７を有している。これら各ハードウェアは、バス３０８を介して相互に接続されている。
【００７７】
ＣＰＵ３０１は、ＲＡＭ３０３をワークエリアとしてＲＯＭ３０２又はＨＤＤ３０４に記憶された各種プログラムを実行することにより、本体装置３００全体を制御する演算装置である。
【００７８】
ＲＯＭ３０２は、電源を切ってもデータを保持することができる不揮発性の半導体メモリ（記憶装置）である。ＲＡＭ３０３は、プログラムやデータを一時保存する揮発性の半導体メモリ（記憶装置）である。
【００７９】
ＨＤＤ３０４は、不揮発性の記憶媒体であり、ＣＰＵ３０１が実行する各種プログラム（例えば、本実施形態を実現するプログラム）や各種データを記憶する。
【００８０】
画像処理エンジン３０５は、コピー機能、スキャン機能、ＦＡＸ機能、及びプリンタ機能等の各種の画像処理機能を実現するための画像処理を行うハードウェアである。
【００８１】
画像処理エンジン３０５には、例えば、原稿を光学的に読み取って画像データを生成するスキャナ、用紙等のシート材への印刷を行うプロッタ、及びＦＡＸ通信を行うＦＡＸ通信装置等が含まれる。また、画像処理エンジン３０５には、例えば、印刷済みのシート材を仕分けるフィニッシャや、原稿を自動給送するＡＤＦ（自動原稿給送装置）等が含まれていても良い。
【００８２】
接続Ｉ／Ｆ３０６は、通信路２０９を介して操作装置２００と通信するためのインタフェースである。接続Ｉ／Ｆ３０６には、例えば、ＵＳＢ規格のインタフェースが用いられる。
【００８３】
通信Ｉ／Ｆ３０７は、他の機器等と通信するためのインタフェースである。通信Ｉ／Ｆ３０７は、例えば、Ｗｉ−Ｆｉ規格の無線ＬＡＮが用いられる。
【００８４】
本実施形態の画像処理装置１００は、上記ハードウェア構成を有することにより、後述する各種処理を実現することができる。
【００８５】
尚、図６では、画像処理装置１００が操作装置２００を有している構成を一例として示したが、これに限定されない。操作装置２００は、例えば、タブレット端末、スマートフォン、携帯電話、ＰＤＡ等の情報処理端末であっても良い。すなわち、これらの情報処理端末は、操作装置２００の通信Ｉ／Ｆ２０７又は本体装置３００の通信Ｉ／Ｆ３０７を介して画像処理装置１００と通信することにより、当該画像処理装置１００を制御することができても良い。
【００８６】
次に、図７を参照して、画像処理装置１００の操作装置２００及び本体装置３００に含まれるプログラム群の階層構造について説明する。図７は、画像処理装置の操作装置及び本体装置に含まれるプログラム群の階層構造の一例を示す図である。
【００８７】
図７は、操作装置２００に含まれるプログラム群の階層構造、及び本体装置３００に含まれるプログラム群の階層構造を示している。
【００８８】
操作装置２００に含まれるプログラム群は、ＲＯＭ２０２、フラッシュメモリ２０４等に格納されている。本体装置３００に含まれるプログラム群は、ＲＯＭ３０２、ＨＤＤ３０４等に格納されている。
【００８９】
はじめに、本体装置３００に含まれるプログラム群の階層構造について説明する。本体装置３００に含まれるプログラム群は、アプリケーション層３１０、サービス層３２０、及びＯＳ（Operating System）層３３０に大別することができる。
【００９０】
アプリケーション層３１０に区分されるプログラムは、ハードウェア資源を動作させて画像処理機能を実現させるためのプログラムである。具体的には、コピーアプリケーション、スキャンアプリケーション、ＦＡＸアプリケーション、及びプリンタアプリケーション等が挙げられる。
【００９１】
サービス層３２０に区分されるプログラムは、アプリケーション層３１０とＯＳ層３３０との間に介在するプログラムである。当該プログラムは、本体装置３００が備えるハードウェア資源を、アプリケーション層３１０のプログラムが利用したり、本体装置３００が備えるハードウェア資源の状態を通知したりするインタフェースとしての役割を果たす。
【００９２】
具体的には、ハードウェア資源に対する動作要求を受け付けたり、受け付けた動作要求の調停を行ったりする。また、ハードウェア資源において検出されたエラーを、エラー情報として送信したりする。尚、サービス層３２０が受け付ける動作要求には、例えば、画像処理エンジン３０５による画像処理の動作要求（スキャナによる読み取り動作要求やプロッタによる印刷動作要求等）が含まれる。
【００９３】
尚、サービス層３２０に区分されるプログラムが果たすインタフェースとしての役割は、操作装置２００のアプリケーション層２１０に対しても同様である。すなわち、操作装置２００のアプリケーション層２１０に区分されるプログラムも、サービス層３２０にアクセスすることにより、本体装置３００のハードウェア資源を動作させて、画像処理機能を実現させることができる。
【００９４】
ＯＳ層３３０に区分されるプログラムは、基本ソフトウェアと呼ばれるプログラムであり、本体装置３００が有するハードウェア資源を制御する基本機能を提供する。ＯＳ層３３０に区分されるプログラムは、アプリケーション層３１０に区分されるプログラムからのハードウェア資源に対する動作要求を、サービス層３２０に区分されるプログラムを介して受け付けて、当該動作要求に応じた処理を実行する。また、ＯＳ層３３０に区分されるプログラムが実行されることにより、ハードウェア資源において検出されたエラーを受信し、エラー情報としてサービス層３２０に渡す。
【００９５】
次に、操作装置２００に含まれるプログラム群の階層構造について説明する。本体装置３００と同様に、操作装置２００に含まれるプログラム群も、アプリケーション層２１０、サービス層２２０、及びＯＳ層２３０に大別することができる。
【００９６】
ただし、アプリケーション層２１０に区分されるプログラムが提供する機能や、サービス層２２０が受け付け可能な動作要求の種類は、本体装置３００とは異なる。操作装置２００のアプリケーション層２１０に区分されるプログラムは、主として、各種操作や表示を行うためのユーザインタフェース機能を提供する。
【００９７】
尚、本実施形態では、操作装置２００と本体装置３００とで、ＯＳは独立して動作するものとする。また、操作装置２００と本体装置３００とが相互に通信可能であれば、ＯＳが同じ種類である必要はない、例えば、操作装置２００ではＯＳにＡｎｄｒｏｉｄ（登録商標）を用いる一方で、本体装置３００ではＯＳにＬｉｎｕｘ（登録商標）を用いることも可能である。
【００９８】
このように、画像処理装置１００では、操作装置２００と本体装置３００とを有するステムとして、操作装置２００と本体装置３００が異なるＯＳにより制御されるため、操作装置２００と本体装置３００との間の通信は、一装置内のプロセス間通信ではなく、異なる情報処理装置間の通信として行われる。例えば、操作装置２００が受け付けたユーザの各種操作を示す操作情報を本体装置３００へ送信する動作や、本体装置３００が操作装置２００へ表示画面の表示を指示する表示要求を送信する動作が、これに該当する。
【００９９】
ただし、本実施形態の画像処理装置１００は、操作装置２００と本体装置３００とで異なる種類のＯＳが動作している場合に限られず、操作装置２００と本体装置３００とで同一種類のＯＳが動作していても良い。また、本実施形態の画像処理装置１００は、操作装置２００と本体装置３００とでＯＳが独立して動作している場合に限られず、操作装置２００及び本体装置３００上で一のＯＳが動作していても良い。
【０１００】
次に、図８を参照して本実施形態の操作装置２００の機能について説明する。図８は、第一の実施形態の操作装置の機能構成を説明する図である。
【０１０１】
本実施形態の操作装置２００は、ＣＰＵ２０１がアプリケーション層２１０に含まれる各プログラム（アプリケーション）を実行することで実現される各処理部を有する。
【０１０２】
例えば操作装置２００は、コピー処理部４００を有する。また、本実施形態の操作装置２００は、ホーム処理部６００を有する。
【０１０３】
本実施形態のコピー処理部４００は、アプリケーション層２１０に含まれるコピーアプリケーションが実行されることで実現される。
【０１０４】
本実施形態のホーム処理部６００は、アプリケーション層２１０に含まれるホームアプリケーションが実行されることで実現される。ホームアプリケーションとは、ホーム画面１において実現される機能を実現するアプリケーションである。尚、ホーム画面１において実現される機能には、ホーム画面１の表示の制御を含む。
【０１０５】
また、本実施形態の操作装置２００は、図８で示した２つの処理部以外にも、アプリケーション層２１０に含まれるアプリケーション（スキャンアプリケーション、ファックスアプリケーション等）と対応する処理部を有している。
【０１０６】
本実施形態のコピー処理部４００は、表示制御処理部４１０、処理部４２０、記憶部４３０を有する。
【０１０７】
表示制御処理部４１０は、コピーアプリケーションが起動されているときの、操作装置２００の操作パネル２０５の表示を制御する。処理部４２０は、操作パネル２０５で受け付けた操作の内容に応じて、本体装置３００へ各種の要求等を行う。
【０１０８】
記憶部４３０は、拡大率テーブル４３１、表示情報テーブル４３２、設定項目テーブル４３３を記憶する。記憶部４３０が記憶する各テーブルは、表示制御処理部４１０により参照される。各テーブルの詳細は後述する。
【０１０９】
また、本実施形態の記憶部４３０には、各表示部品や各設定部品の画像が格納されていても良い。
【０１１０】
本実施形態のホーム処理部６００は、表示制御処理部６１０、処理部６２０、記憶部６３０を有する。
【０１１１】
表示制御処理部６１０は、ホームアプリケーションが起動されているときの、操作装置２００の操作パネル２０５の表示を制御する。処理部６２０は、操作パネル２０５で受け付けた操作の内容に応じて、本体装置３００へ各種の要求等を行う。
【０１１２】
記憶部６３０は、拡大率テーブル６３１、表示情報テーブル６３２、アプリテーブル６３３を記憶する。記憶部６３０が記憶する各テーブルは、表示制御処理部６１０により参照される。
【０１１３】
本実施形態のホーム処理部６００の処理は、第三の実施形態において詳細に説明する。
【０１１４】
次に、本実施形態のコピー処理部４００について説明する。図９は、第一の実施形態のコピー処理部の機能構成を説明する図である。
【０１１５】
本実施形態のコピー処理部４００の表示制御処理部４１０は、入力受付部４１１、接触位置検知部４１２、表示制御部４１３、機能対応付け部４１４、要求出力部４１５を有する。
【０１１６】
入力受付部４１１は、操作装置２００に対する入力を受け付ける。具体的には、入力受付部４１１は、操作パネル２０５に表示されたトップ画面等に対する接触や、操作装置２００の有する操作部材に対する操作を検知する。
【０１１７】
接触位置検知部４１２は、操作パネル２０５に対する接触を受けて、接触された位置を検知する。具体的には、接触位置検知部４１２は、トップ画面に対する操作を受け付けたとき、操作パネル２０５において操作を受け付けた位置、すなわち、ユーザにより接触された位置を検知する。本実施形態では、接触位置検知部４１２により検知された位置に基づき、トップ画面において、どの表示部品に対して操作が行われたかを判定する。
【０１１８】
表示制御部４１３は、記憶部４３０が記憶する各テーブルに基づき、各設定項目に対応した表示部品を含むトップ画面を表示させる。表示制御部４１３の詳細は後述する。
【０１１９】
機能対応付け部４１４は、表示部品の中に設定部品が含まれるとき、設定部品に対し、対応する設定項目の値を設定する機能を対応付ける。
【０１２０】
要求出力部４１５は、処理部４２０に対し、操作パネル２０５に表示されたトップ画面等において受け付けた各種操作に対応した要求を処理部４２０に出力する。
【０１２１】
本実施形態の処理部４２０は、設定要求部４２１、印刷要求部４２２を有する。設定要求部４２１は、表示制御処理部４１０の要求出力部４１５から、設定項目の対する値の設定が要求されたとき、本体装置３００に対して設定要求を行う。印刷要求部４２２は、要求出力部４１５から、印刷を要求されたとき、本体装置３００に対して印刷要求を行う。
【０１２２】
本実施形態の記憶部４３０は、拡大率テーブル４３１、表示情報テーブル４３２、設定項目テーブル４３３を有する。
【０１２３】
本実施形態の拡大率テーブル４３１は、設定部品５１、５２により設定された拡大率が表示部品毎に対応付けられているテーブルである。表示情報テーブル４３２は、設定項目と、設定項目と対応する表示部品に表示させる情報とが、拡大率毎に対応付けられたテーブルである。
【０１２４】
設定項目テーブル４３３は、設定項目と、設定項目に設定される値とが対応付けられたテーブルである。本実施形態において、表示部品に表示させる情報は、設定項目テーブル４３３を参照して取得される。
【０１２５】
以下に、記憶部４３０が記憶する各テーブルについて説明する。図１０は、第一の実施形態の拡大率テーブルの一例を示す図である。
【０１２６】
図１０（Ａ）に示す拡大率テーブル４３１−１は、全体縮小設定がなされた場合を示しており、図１０（Ｂ）に示す拡大率テーブル４３１−２は、全体拡大設定がなされた場合を示しており、図１０（Ｃ）に示す拡大率テーブル４３１−３は、個別設定がなされた場合を示している。
【０１２７】
本実施形態の拡大率テーブル４３１は、情報の項目として、設定対象と拡大率とを有する。項目「設定対象」の値は、拡大／縮小が設定された対象を示す。項目「拡大率」の値は、拡大率を示す。以下の説明では、拡大率テーブル４３１において、全ての項目「設定対象」の値と、全ての項目「設定対象」と対応付けられた項目「拡大率」の値とを含む情報を拡大率情報と呼ぶ。
【０１２８】
例えば図１０（Ａ）の拡大率テーブル４３１−１では、設定対象「全体」と対応する拡大率は「５０％」であり、設定対象「カラー／白黒」、「変倍」、「部数」等の個別の設定項目と対応する拡大率は「１００％」である。
【０１２９】
したがって、拡大率テーブル４３１−１では、トップ画面における表示部品の大きさが拡大率５０％となるまで縮小されることがわかる。
【０１３０】
尚、本実施形態では、拡大率１００％の場合を基準として、拡大率が１００％より大きいとき、表示部品が拡大表示部品となり、拡大率が１００％より小さいとき、表示部品は縮小表示部品となる。
【０１３１】
また図１０（Ｂ）の拡大率テーブル４３１−２では、設定対象「全体」と対応する拡大率は「２５０％」であり、設定対象「カラー／白黒」、「変倍」、「部数」等の個別の設定項目と対応する拡大率は「１００％」である。
【０１３２】
したがって、拡大率テーブル４３１−２では、トップ画面における表示部品の大きさが拡大率２５０％となるまで拡大されることがわかる。
【０１３３】
また、図１０（Ｃ）の拡大率テーブル４３１−３では、設定対象「全体」と対応する拡大率は「１００％」であり、設定対象「カラー／白黒」と対応する拡大率は「２５０％」である。
【０１３４】
したがって、拡大率テーブル４３１−３は、個別に拡大率２５０％まで拡大されることがわかる。
【０１３５】
次に、図１１を参照して本実施形態の表示情報テーブル４３２について説明する。図１１は、第一の実施形態の表示情報テーブルの一例を示す図である。
【０１３６】
本実施形態の表示情報テーブル４３２は、情報の項目として、設定項目と表示情報とを有し、設定項目と表示情報とは対応付けられている。表示情報は、拡大率毎に対応付けられている。
【０１３７】
具体的には、表示情報は、拡大率１０〜５０％、５１〜２００％、２０１％以上の３段階と対応付けられている。
【０１３８】
例えば、設定項目「カラー／白黒」は、拡大率１０〜５０％の場合の表示情報は「設定値」であり、拡大率５１〜２００％の場合の表示情報は「設定項目名」、「設定値」である。また、拡大率２０１％以上の場合の表示情報は「設定項目名」、「選択可能な設定値」、「設定された設定値」、「設定部品」である。
【０１３９】
したがって、設定項目「カラー／白黒」と対応する表示部品の中は、拡大率１０〜５０％の場合には設定値である「カラー」のみが表示される（図３参照）。また、設定項目「カラー／白黒」と対応する表示部品の中は、拡大率５１〜２００％の場合には、設定項目名である「カラー／白黒」と、設定値である「カラー」が表示される（図２参照）。
【０１４０】
また、設定項目「カラー／白黒」と対応する表示部品の中は、拡大率２０１％以上の場合には、設定項目名である「カラー／白黒」と、設定値である「カラー」とが表示される。さらにこの場合、表示部品の中に、選択可能な設定値である「白黒」、「フルカラー」と、各設定値と対応する設定部品２１１、２１２、２１３とが表示される（図４参照）。
【０１４１】
また、例えば、設定項目「変倍」は、拡大率１０〜５０％の場合の表示情報は「設定値」であり、拡大率５１〜２００％の場合の表示情報は「設定項目名」、「設定値」である。また、拡大率２０１％以上場合の表示情報は「設定項目名」、「設定値」、「設定部品（用紙サイズ指定変倍）」である。
【０１４２】
したがって、設定項目「変倍」と対応する表示部品の中は、拡大率１０〜５０％の場合には設定値である「１００％」のみが表示される（図３参照）。また、設定項目「変倍」と対応する表示部品の中は、拡大率５１〜２００％の場合には、設定項目名である「変倍」と、設定値である「１００％」が表示される（図２参照）。
【０１４３】
また、設定項目「変倍」と対応する表示部品の中は、拡大率２０１％以上の場合には、設定項目名である「変倍」と、設定値である「１００％」とが表示される。さらにこの場合、表示部品の中に、用紙サイズ指定変倍において選択可能な設定部品２２１、２２２、２２３、２２４が表示される（図４参照）。
【０１４４】
次に、図１２を参照して本実施形態の設定項目テーブル４３３について説明する。図１２は、第一の実施形態の設定項目テーブルの一例を示す図である。
【０１４５】
本実施形態の設定項目テーブル４３３は、情報の項目として、設定項目と設定値とが対応付けられている。より具体的には、設定項目テーブル４３３では、設定項目と、設定項目に対して設定可能な値とが対応付けられている。
【０１４６】
例えば、設定項目「カラー／白黒」には、設定可能な値「自動カラー」、「白黒」、「フルカラー」が対応付けられている。
【０１４７】
また、設定項目「変倍」には、設定可能な値「用紙サイズ指定変倍」、「倍率指定変倍」が対応付けられている。さらに、設定可能な値「用紙サイズ指定変倍」には、選択可能な値として「Ａ３」、「Ｌｅｔｔｅｒ」、「Ａ４」、「封筒」が対応付けられている。また、設定可能な値「倍率指定変倍」には、選択可能な値として「５０％」、「７０％」、「１２０％」、「１５０％」が対応付けられている。
【０１４８】
ここで、設定項目「倍率」と対応する表示部品の中に表示される表示情報について説明する。
【０１４９】
図１１に示す表示情報テーブル４３２では、設定項目「倍率」と対応する拡大率が２０１％以上であった場合の表示情報は、設定項目名と、設定値と、設定部品（用紙サイズ指定変倍）である。したがって、設定項目「倍率」の拡大率が２０１％以上に設定された場合、設定項目「倍率」の表示部品の中には、「変倍」、「１００％」、設定部品２２１、２２２、２２３、２２４が表示される。
【０１５０】
次に、図１３を参照し、コピー処理部４００の有する表示制御処理部４１０の動作を説明する。図１３は、第一の実施形態のコピー処理部の動作を説明するフローチャートである。
【０１５１】
本実施形態のコピー処理部４００は、起動要求を受け付けたか否かを判定する（ステップＳ１３０１）。起動要求は、ホーム画面１においてコピーアプリケーションと対応する表示部品１１が選択されたとき、ホーム処理部６００より行われる。
【０１５２】
ステップＳ１３０１において起動要求を受け付けない場合、コピー処理部４００は、起動要求を受け付けるまで待機する。
【０１５３】
ステップＳ１３０１において起動要求を受け付けた場合、コピー処理部４００は、表示制御処理部４１０により、ステップＳ１３０２以降のトップ画面を表示する処理を開始する。
【０１５４】
ステップＳ１３０１において起動要求を受け付けると、表示制御処理部４１０は、部４１３により、拡大率テーブル４３１を参照し、拡大率情報を取得する（ステップＳ１３０２）。
【０１５５】
続いて表示制御部４１３は、変数Ｎに対し、Ｎ＝１を設定する（ステップＳ１３０３）。続いて表示制御部４１３は、表示情報テーブル４３２と拡大率情報とに基づき、Ｎ番目の設定項目における拡大率と対応した表示情報を取得する（ステップＳ１３０４）。
【０１５６】
以下に、ステップＳ１３０４の処理について具体的に説明する。例えばＮ＝３であり、拡大率テーブル４３１−２から拡大率情報を取得した場合を説明する。
【０１５７】
表示情報テーブル４３２の３番目の設定項目は、設定項目「部数」である。また、拡大率テーブル４３１−２から拡大率情報を取得した場合、全体の拡大率は２５０％であり、設定項目「部数」の拡大率は１００％である。
【０１５８】
したがって、表示制御部４１３は、設定項目「部数」の拡大率を２５０％とし、表示情報テーブル４２３における設定項目「部数」の拡大率２５０％と対応する表示情報「設定項目名」、「設定値」、「設定部品」として、「部数」、「５部」、設定部品２３１、２３２を取得する。
【０１５９】
尚、本実施形態では、画像処理装置１００に設定された各設定項目の値は、表示制御部４１３が要求出力部４１５に設定値の取得要求を指示し、要求出力部４１５が処理部４２０を介して本体装置３００から取得しても良い。
【０１６０】
続いて表示制御処理部４１０は、機能対応付け部４１４により、取得した表示情報に、入力を受け付ける表示部品が含まれるか否かを判定する（ステップＳ１３０５）。つまり、機能対応付け部４１４は、表示情報に設定部品が含まれるか否かを判定している。
【０１６１】
ステップＳ１３０５において、設定部品が含まれない場合、表示制御処理部４１０は、後述するステップＳ１３０７へ進む。
【０１６２】
ステップＳ１３０５において、設定部品が含まれる場合、表示制御処理部４１０は、機能対応付け部４１４により、設定部品に対して値を設定する機能を対応付ける（ステップＳ１３０６）。具体的には、機能対応付け部１４１は、操作パネル２０５において、設定部品が表示される表示領域を特定し、特定された表示領域に対する操作と、設定項目に対する値を設定する処理とを対応付ける。
【０１６３】
以下に、ステップＳ１３０６の処理を具体的に説明する。ここでは、取得された表示情報は、「部数」、「５部」、設定部品２３１、２３２として説明する。
【０１６４】
この場合、表示情報には、設定部品２３１、２３２が含まれる。そこで、機能対応付け部４１４は、操作パネル２０５において、設定部品２３１、２３２の表示領域を特定する。そして、機能対応付け部４１４は、設定部品２３１の表示領域に、１回の接触（タッチ）につき印刷する部数を１部増やす処理を対応付ける。また、そして、機能対応付け部４１４は、設定部品２３２の表示領域に、１回の接触（タッチ）につき印刷する部数を１部減らす処理を対応付ける。
【０１６５】
本実施形態では、この対応付けにより、表示部品において、設定部品が操作されたとき、設定部品と対応する設定項目の値を設定することができる。
【０１６６】
続いて、表示制御処理部４１０は、表示制御部４１３により、表示情報テーブル４３２に含まれる全ての設定項目について、ステップＳ１３０４以降の処理を実行したか否かを判定する（ステップＳ１３０７）。ステップＳ１３０７において、全ての設定項目について処理を実行していない場合、表示制御部４１３は、Ｎ＝Ｎ＋１として（ステップＳ１３０８）、ステップＳ１３０４へ戻る。
【０１６７】
ステップＳ１３０７において、全ての設定項目に対する処理が終了した場合、表示制御部４１３は、各設定項目に対応した拡大率情報と表示情報とに基づき、各設定項目と対応した表示部品を含むトップ画面用の画像を生成し、操作パネル２０５に表示させる（ステップＳ１３０９）。
【０１６８】
以上のように、本実施形態によれば、トップ画面における設定項目と対応した表示部品の大きさを任意の大きさに調整することができる。また、本実施形態によれば、表示部品の大きさに応じて、表示部品内に表示させる情報の量を変化させる。
【０１６９】
具体的には、表示部品の大きさを小さくした場合には、表示部品内に表示させる情報は、表示部品と対応した設定項目の設定値のみとする。この場合、トップ画面では、設定項目の一覧として表示させる設定項目の数が増加し、「設定項目の一覧」という情報がより詳細に表示されることになる。
【０１７０】
また、表示部品の大きさを大きくした場合には、表示部品内に、対応した設定項目の値と、設定項目の値を設定（変更）する設定部品と、を表示させる。この場合、トップ画面には、設定項目の一覧と、設定項目毎の詳細設定画面に含まれる情報とが表示されることになる。
【０１７１】
以上のように、本実施形態によれば、表示部品の大きさの変更に伴って、表示部品内に表示される情報を変更することで、トップ画面の表示領域を無駄なく使用することができる。
【０１７２】
尚、本実施形態のアプリケーション層２１０の有する各アプリケーション（スキャンアプリケーション、ファックスアプリケーション等）と対応する処理部は、コピー処理部４００における表示制御処理部４１０と同様の処理を行う表示制御処理部を有している。したがって、のアプリケーション層２１０の有する各アプリケーションのトップ画面においても、コピーアプリケーションのトップ画面２と同様に、表示部品の縮小／拡大を行い、表示部品の中に、トップ画面における表示部品の大きさに応じた情報を表示させることができる。
【０１７３】
（第二の実施形態）
以下に図面を参照して第二の実施形態について説明する。第二の実施形態は、拡大率テーブルと表示情報テーブルとがユーザ毎に設けられる点が第一の実施形態と相違する。以下の第二の実施形態の説明では、第一の実施形態との相違点についてのみ説明し、第一の実施形態と同様の機能構成を有するものには、第一の実施形態の説明で用いた符号と同様の符号を付与し、その説明を省略する。
【０１７４】
図１４は、第二の実施形態のコピー処理部の機能構成を説明する図である。本実施形態のコピー処理部４００Ａは、表示制御処理部４１０Ａ、記憶部４３０Ａを有する。
【０１７５】
本実施形態の表示制御処理部４１０Ａは、第一の実施形態の表示制御処理部４１０の有する各部に加え、ユーザ認証部４１６を有する。
【０１７６】
ユーザ認証部４１６は、入力されたユーザ情報に基づくユーザ認証を行う。本実施形態では、例えば操作装置２００にトップ画面２を表示させる前に、ログイン画面を表示させ、ログイン画面において入力されたユーザ情報（ユーザＩＤとパスワード等）に基づき認証を行っても良い。また、ユーザ認証部４１６は、例えば操作装置２００と接続された読取装置に翳されたＩＣカードから、ユーザ情報を読み取って、ユーザ認証を行っても良い。
【０１７７】
本実施形態のユーザ認証は、例えば操作装置２００又は本体装置３００の記憶装置に、ユーザ毎のユーザ情報が格納されたユーザ情報データベースと、入力されたユーザ情報とを照合して行われても良い。また、本実施形態のユーザ認証は、画像処理装置１００とネットワークを介して接続された認証サーバに、入力されたユーザ情報を送信し、認証サーバにおいて認証された場合に、ユーザを認証してものとしても良い。
【０１７８】
本実施形態の記憶部４３０Ａは、拡大率テーブル４３１Ａ、表示情報テーブル４３２Ａを有する。本実施形態の拡大率テーブル４３１Ａは、ユーザ毎の拡大率テーブル４３１である。
【０１７９】
本実施形態の表示制御処理部４１０Ａは、ユーザ情報の認証が行われた後に、ユーザ情報と対応する拡大率テーブル４３１Ａと表示情報テーブル４３２Ａとを参照し、トップ画面を表示させる。
【０１８０】
図１５は、第二の実施形態の拡大率テーブルの一例を示す図である。本実施形態の拡大率テーブル４３１Ａは、拡大率情報とユーザＩＤとが対応付けられている。
【０１８１】
図１５に示す拡大率テーブル４３１Ａは、ユーザ認証部４１６により、ユーザＩＤ「ユーザＡ」が認証された際に、表示制御処理部４１０Ａにより参照される。
【０１８２】
図１５に示す拡大率テーブル４３１Ａは、設定対象「全体」と対応する拡大率は「２５０％」であり、設定対象「カラー／白黒」、「変倍」、「部数」等の個別の設定項目と対応する拡大率は「１００％」である。
【０１８３】
したがって、拡大率テーブル４３１Ａでは、トップ画面における表示部品の大きさが拡大率２５０％となるまで一律に拡大される。
【０１８４】
また、本実施形態の拡大率テーブル４３１Ａは、ユーザＩＤ「ユーザＡ」がログインしている最中に拡大率の設定が変更された場合には、変更に応じて更新される。
【０１８５】
図１６は、第二の実施形態の表示情報テーブルの一例を示す図である。本実施形態の表示情報テーブル４３２Ａには、ユーザＩＤが付与されており、ユーザＩＤと対応付けられている。図１６に示す表示情報テーブル４３２Ａは、ユーザ認証部４１６により、ユーザＩＤ「ユーザＡ」が認証された際に、表示制御処理部４１０Ａにより参照される。
【０１８６】
図１６に示す表示情報テーブル４３２Ａでは、例えば、設定項目「カラー／白黒」における拡大率毎の表示情報は、図１１で示した表示情報テーブル４３２と同様である。
【０１８７】
また、表示情報テーブル４３２Ａにおいて、設定項目「変倍」は、拡大率１０〜５０％の場合の表示情報は「設定値」であり、拡大率５１〜２００％の場合の表示情報は「設定項目名」、「設定値」である。また、拡大率２０１％以上の場合の表示情報は「設定項目名」、「設定値」、「設定部品（倍率指定変倍）」である。
【０１８８】
表示情報テーブル４３２Ａは、ユーザＩＤ「ユーザＡ」がログインしている最中に表示情報の内容が変更された場合には、変更に応じて更新される。
【０１８９】
次に、図１７を参照して本実施形態のコピー処理部４００Ａの処理について説明する。図１７は、第二の実施形態のコピー処理部の動作を説明するフローチャートである。
【０１９０】
本実施形態のコピー処理部４００Ａは、起動要求を受け付けたか否かを判定する（ステップＳ１７０１）。ステップＳ１７０１において起動要求を受け付けない場合、コピー処理部４００Ａは、起動要求を受け付けるまで待機する。
【０１９１】
ステップＳ１７０１において起動要求を受け付けた場合、コピー処理部４００Ａは、表示制御処理部４１０Ａのユーザ認証部４１６により、ユーザ認証を行う（ステップＳ１７０２）。ステップＳ１７０２においてユーザが認証されない場合、表示制御処理部４１０Ａは、ステップＳ１７０２に戻る。
【０１９２】
ステップＳ１７０２においてユーザが認証されると、表示制御処理部４１０Ａは、ステップＳ１７０３へ進む。
【０１９３】
ステップＳ１７０３からステップＳ１７１０の処理は、図１３のステップＳ１３０２からステップＳ１３０９までの処理と同様であるから、説明を省略する。尚、ステップＳ１７０３において参照される拡大率テーブル４３１Ａは、ステップＳ１７０５で参照される表示情報テーブル４３２Ａとは、ステップＳ１７０３で認証されたユーザ情報と対応している。
【０１９４】
尚、図１７の例では、コピーアプリケーションに対する起動要求が行われた後にユーザ認証を行うものとしたが、これに限定されない。本実施形態のユーザ認証は、コピーアプリケーションに対する起動要求を受け付ける前に行われても良い。
【０１９５】
具体的には、例えばホーム処理部６００にユーザ認証部４１６が設けられており、ホーム画面１を表示させる際に、ユーザ認証が行われても良い。本実施形態では、トップ画面を表示させる際に、ユーザ認証に用いられたユーザ情報と対応付けられて拡大率テーブル４３１Ａと表示情報テーブル４３２Ａとを参照できれば良い。
【０１９６】
図１８は、第二の実施形態のコピーアプリケーションのトップ画面の例を示す図である。図１８に示すトップ画面２Ｃは、ユーザＩＤ「ユーザＡ」と対応した拡大率テーブル４３１Ａと、表示情報テーブル４３２Ａとを参照して表示された画面である。
【０１９７】
拡大率テーブル４３１Ａでは、設定対象「全体」と対応する拡大率は「２５０％」であり、設定対象「カラー／白黒」、「変倍」、「部数」等の個別の設定項目と対応する拡大率は「１００％」である。
【０１９８】
したがって、図１８のトップ画面２Ｃでは、拡大率２５０％となるまで拡大された拡大表示部品２１Ｂ、２２Ｂ−１、２３Ｂ、２４Ｂが表示される。
【０１９９】
ここで、拡大表示部品２２Ｂ−１について説明する。本実施形態の拡大表示部品２２Ｂ−１は、表示情報テーブル４３２Ａにおける、設定項目「倍率」と対応する拡大率２０１％以上の表示情報に基づき表示される。
【０２００】
本実施形態の表示情報テーブル４３２Ａにおける、設定項目「倍率」と対応する拡大率２０１％以上の表示情報は、「設定項目名」、「設定値」、「設定部品（倍率指定変倍）」である。
【０２０１】
したがって、本実施形態の表示制御部４１３は、設定項目テーブル４３３を参照し、表示部品２２Ｂ−１に、設定項目名「変倍」、設定値である「等倍」と、倍率指定変倍に対応した設定部品２２５〜２２９と、を表示させる。
【０２０２】
設定項目２２５〜２２９は、倍率指定変倍に対応して設定される設定値「５０％」、「７０％」、「等倍」、「１２０％」、「１５０％」のそれぞれと対応している。
【０２０３】
以上のように、本実施形態では、ユーザ毎の拡大率テーブル４３１Ａと、表示情報テーブル４３２Ａと、を有することで、ユーザ毎に設定された拡大率で、ユーザ毎に設定された表示情報を表示させた表示部品をトップ画面に表示させることができる。したがって、本実施形態によれば、トップ画面における表示部品の表示の仕方を、ユーザの嗜好や利用状況に合わせて変更することができる。
【０２０４】
（第三の実施形態）
以下に図面を参照して、第三の実施形態について説明する。第三の実施形態は、表示部品が設定項目ではなく、画像処理装置１００で実行される各アプリケーションに対応している点が第一の実施形態と相違する。よって、第三の実施形態の説明では、第一の実施形態との相違点についてのみ説明し、第一の実施形態と同様の機能構成を有するものには第一の実施形態の説明で用いた符号と同様の符号を付与し、その説明を省略する。
【０２０５】
図１９は、第三の実施形態のホーム画面の一例を示す第一の図である。本実施形態のホーム画面１Ａには、設定部品５１、５２が表示されている。設定部品５１は、ホーム画面用の画像における操作パネル２０５と対応した表示領域を拡大又は縮小させて、ホーム画面１Ａにおける表示部品１１〜１６を縮小又は拡大する設定を行う表示部品である。設定部品５２は、ホーム画面１Ａには、表示部品１１〜１６の大きさを個別に拡大する設定を行う表示部品である。
【０２０６】
本実施形態では、設定部品５１又は設定部品５２による表示部品の縮小／拡大を行うことで、ホーム画面１Ａにおける表示部品に大きさを変更し、且つ表示部品内の情報の量を変更することができる。
【０２０７】
図２０は、第三の実施形態のホーム画面の一例を示す第一の図である。図２０に示すホーム画面１Ｂは、設定部品５２により、個別拡大設定がなされており、表示部品１１を拡大した拡大表示部品１１Ａと、表示部品１２を拡大した拡大表示部品１２Ａとが表示された画面の例である。
【０２０８】
ホーム画面１Ｂにおいて、拡大表示部品１１Ａの中には、表示部品１１と対応するコピーアプリションに対する設定を指示する設定指示部品１１１、１１２と、コピーアプリケーションに対する実行を指示する実行指示部品１１３とが表示される。言い換えれば、設定指示部品１１１、１１２と実行指示部品１１３とは、コピーアプリケーションに対する操作を行う操作用表示部品である。より具体的には、設定指示部品１１１、１１２は、コピー処理部４００に対する設定を指示する表示部品であり、実行指示部品１１３は、コピー処理部４００に対する実行を指示する表示部品である。
【０２０９】
また、設定指示部品１１１の中には、設定指示部品１１１により設定が指示される設定項目と対応した設定部品１１１ａ、１１１ｂが表示される。
【０２１０】
ホーム画面１Ｂにおいて、拡大表示部品１２Ａの中には、表示部品１２と対応するスキャンアプリケーションに対する設定を指示する設定指示部品１２１、１２２と、スキャンアプリケーションに対する実行を指示する実行指示部品１２３とが表示される。言い換えれば、設定指示部品１２１、１２２は、スキャン処理部に対する設定を指示する表示部品であり、実行指示部品１２３は、スキャン処理部に対する実行を指示する表示部品である。
【０２１１】
本実施形態において、各表示部品の中に表示される表示情報は、表示情報テーブル６３２において、表示部品と対応するアプリケーション毎に拡大率と対応付けられている。
【０２１２】
以下に、図２１を参照して、本実施形態のホーム処理部６００について説明する。図２１は、第三の実施形態のホーム処理部の機能構成を説明する図である。本実施形態の操作装置２００の有するホーム処理部６００は、表示制御処理部６１０、処理部６２０、記憶部６３０を有する。
【０２１３】
本実施形態の表示制御処理部６１０は、入力受付部６１１、接触位置検知部６１２、表示制御部６１３、機能対応付け部６１４、要求出力部６１５を有する。
【０２１４】
入力受付部６１１は、操作装置２００に対する入力を受け付ける。具体的には、入力受付部６１１は、操作パネル２０５に表示されたホーム画面等に対する接触や、操作装置２００の有する操作部材に対する操作を検知する。
【０２１５】
接触位置検知部６１２は、操作パネル２０５に対する接触を受けて、接触された位置を検知する。具体的には、接触位置検知部６１２は、ホーム画面に対する操作を受け付けたとき、操作パネル２０５において操作を受け付けた位置、すなわち、ユーザにより接触された位置を検知する。本実施形態では、接触位置検知部６１２により検知された位置に基づき、ホーム画面において、どの表示部品に対して操作が行われたかを判定する。
【０２１６】
表示制御部６１３は、記憶部６３０が記憶する各テーブルに基づき、各アプリケーションに対応した表示部品を含むホーム画面を表示させる。表示制御部６１３の詳細は後述する。
【０２１７】
機能対応付け部６１４は、表示部品の中の設定指示部品と、実行指示部品とに、対応するアプリケーションに対する設定や実行を指示する機能を対応付ける。
【０２１８】
要求出力部６１５は、処理部６２０に対し、操作パネル２０５に表示されたホーム画面等において受け付けた各種操作に対応した要求を処理部６２０に出力する。
【０２１９】
本実施形態の処理部６２０は、設定指示部６２１、実行指示部６２２を有する。本実施形態の設定指示部６２１は、要求出力部６１５から、アプリケーションに対する設定の要求がされたとき、該当するアプリケーションに対して設定指示を行う。本実施形態の実行指示部６２２は、要求出力部６１５から、アプリケーションに対する実行が指示されたとき、該当するアプリケーション（処理部）に対して実行の指示を行う。
【０２２０】
すなわち、本実施形態の処理部６２０は、画像処理装置１００の有するアプリケーションと対応するコピー処理部４００やスキャン処理部５００等に対し、設定項目の設定値の設定指示や、処理の実行指示を出力する。
【０２２１】
本実施形態の記憶部６３０は、拡大率テーブル６３１、表示情報テーブル６３２、アプリテーブル６３３を有する。
【０２２２】
本実施形態の拡大率テーブル６３１は、設定部品５１、５２により設定された拡大率が表示部品毎に対応付けられているテーブルである。表示情報テーブル６３２は、アプリケーションと、アプリケーションと対応する表示部品に表示させる情報とが、拡大率毎に対応付けられたテーブルである。
【０２２３】
アプリテーブル６３３は、アプリケーションと、アプリケーションに指示される操作の種類とが対応付けられたテーブルである。本実施形態のホーム画面において、表示部品に表示させる情報は、アプリテーブル６３３を参照して、表示情報テーブル６３２から取得される。
【０２２４】
以下に、図２２〜２５を参照し、記憶部６３０に格納された各テーブルについて説明する。図２２は、第三の実施形態の拡大率テーブルの一例を示す図である。
【０２２５】
本実施形態の拡大率テーブル６３１は、項目「設定対象」の値として、アプリケーション名を有する。
【０２２６】
図２２に示す拡大率テーブル６３１では、全体拡大設定がなされておらず、設定対象「コピー」と対応する表示部品と、設定対象「スキャン」と対応する表示部品とが２５０％に拡大されてるいことを示す。尚、設定対象「コピー」と対応する表示部品とは、コピーアプリケーションと対応する表示部品１１であり、設定対象「スキャン」と対応する表示部品とは、スキャンアプリケーションと対応する表示部品１２である。
【０２２７】
図２３は、第三の実施形態の表示情報テーブルの一例を示す図である。本実施形態の表示情報テーブル６３２は、情報の項目として、アプリケーション名と表示情報とを有し、アプリケーション名と表示情報とは対応付けられている。表示情報は、拡大率毎に対応付けられている。
【０２２８】
具体的には、表示情報は、拡大率１０〜５０％、５１〜２００％、２０１％以上の３段階と対応付けられている。
【０２２９】
例えば、アプリケーション名「コピー」は、拡大率１０〜５０％の場合の表示情報は「アプリケーション名」であり、拡大率５１〜２００％の場合の表示情報は「アプリケーション名」、「実行指示部品（スタート）」である。また、拡大率２０１％以上の場合の表示情報は「アプリケーション名」、「実行指示部品（スタート）」、「設定指示部品（部数，カラー）」である。
【０２３０】
したがって、アプリケーション名「コピー」と対応する表示部品の中は、拡大率１０〜５０％の場合にはアプリケーション名である「コピー」のみが表示される（図１９参照）。
【０２３１】
また、アプリケーション名「コピー」と対応する表示部品の中は、拡大率２０１％以上の場合には、アプリケーション名「コピー」と、実行指示部品１１３と、設定指示部品１１１、１１２が表示される（図２０参照）。実行指示部品１１３は、コピー処理の実行開始を指示する実行指示部品である。設定指示部品１１１は、コピー処理における設定項目「部数」の設定値の設定を指示する設定指示部品である。設定指示部品１１２は、コピー処理における設定項目「カラー／白黒」の設定値の設定を指示する設定指示部品である。
【０２３２】
また、アプリケーション名「スキャン」は、拡大率１０〜５０％の場合の表示情報は「アプリケーション名」であり、拡大率５１〜２００％の場合の表示情報は「アプリケーション名」、「設定指示部品（送信先１）」「実行指示部品（スタート）」である。また、拡大率２０１％以上の場合の表示情報は「アプリケーション名」、「設定指示部品（送信先１、送信先２）」、「実行指示部品（スタート）」である。
【０２３３】
よって、アプリケーション名「スキャン」と対応する表示部品の中は、拡大率２０１％以上の場合には、アプリケーション名「スキャン」と、実行指示部品１２３と、設定指示部品１２１、１２２が表示される（図２０参照）。実行指示部品１２３は、スキャン処理の実行開始を指示する実行指示部品である。設定指示部品１２１は、スキャン処理における設定項目「送信先１」の設定値の設定を指示する設定指示部品である。設定指示部品１２２は、スキャン処理における設定項目「送信先２」の設定値の設定を指示する設定指示部品である。
【０２３４】
図２４は、第三の実施形態のアプリテーブルの一例を示す図である。本実施形態のアプリテーブル６３３は、情報の項目として、アプリケーション名と操作の種類とが対応付けられている。より具体的には、アプリテーブル６３３では、アプリケーション名と、アプリケーションに対応する表示部品から指示が行われる操作の種類とが対応付けられている。
【０２３５】
例えば、アプリケーション名「コピー」には、操作の種類「スタート」、「ストップ」、「カラー設定」、「変倍設定」等が対応付けられている。
【０２３６】
したがって、アプリテーブル６３３によれば、表示部品１１からコピーアプリケーションに対して行うことが可能な操作の種類は、「スタート」、「ストップ」の指示、設定項目「カラー／白黒」、「変倍」の設定値の設定の指示等が行われることがわかる。
【０２３７】
また、アプリケーション名「スキャン」には、操作の種類「スタート」、「ストップ」、「送信先設定」等が対応付けられている。
【０２３８】
したがって、アプリテーブル６３３によれば、表示部品１２からスキャンアプリケーションに対して行うことが可能な操作の種類は、「スタート」、「ストップ」を指示、設定項目「送信先」の設定値の設定の指示等が行われることがわかる。
【０２３９】
次に、図２５を参照して本実施形態のホーム処理部６００の動作を説明する。図２５は、第三の実施形態のホーム処理部の動作を説明する第一のフローチャートである。
【０２４０】
本実施形態のホーム処理部６００は、起動要求を受け付けたか否かを判定する（ステップＳ２５０１）。起動要求は、例えば操作装置２００に電源が供給された際や、スリープモード等からの復帰指示を受けた際にホーム処理部６００に対して行われても良い。
【０２４１】
ステップＳ２５０１において起動要求を受け付けない場合、ホーム処理部６００は、起動要求を受け付けるまで待機する。
【０２４２】
ステップＳ２５０１において起動要求を受け付けた場合、ホーム処理部６００は、表示制御処理部６１０により、ステップＳ２５０２以降のホーム画面を表示する処理を開始する。
【０２４３】
ステップＳ２５０１において起動要求を受け付けると、表示制御処理部６１０は、表示制御部６１３により、拡大率テーブル６３１を参照し、拡大率情報を取得する（ステップＳ２５０２）。
【０２４４】
続いて表示制御部６１３は、変数Ｎに対し、Ｎ＝１を設定する（ステップＳ２５０３）。続いて表示制御部６１３は、表示情報テーブル６３２と拡大率情報とに基づき、Ｎ番目のアプリケーション名における拡大率と対応した表示情報を取得する（ステップＳ２５０４）。
【０２４５】
以下に、ステップＳ２５０４の処理について具体的に説明する。例えばＮ＝１であり、拡大率テーブル６３１から拡大率情報を取得した場合を説明する。
【０２４６】
表示情報テーブル６３２から取得した拡大率情報において、１番目のアプリケーション名は、アプリケーション名「コピー」である。また、拡大率情報において、全体の拡大率は１００％であり、アプリケーション名「コピー」の拡大率は２５０％である。
【０２４７】
したがって、表示制御部６１３は、アプリケーション名「コピー」の拡大率を２５０％とし、表示情報テーブル６３２におけるアプリケーション名「コピー」の拡大率２５０％と対応する表示情報として、アプリケーション名「コピー」と、実行指示部品１１３と、設定指示部品１１１、１１２とを取得する。
【０２４８】
続いて表示制御処理部６１０は、機能対応付け部６１４により、取得した表示情報に含まれる設定指示部品と実行指示部品に対して、設定指示と実行指示を行う機能を対応付ける（ステップＳ２５０５）。具体的には、機能対応付け部６１４は、操作パネル２０５において、実行指示部品が表示される表示領域を特定し、特定された表示領域に対する操作をアプリケーションに対する実行指示と対応付ける。また、機能対応付け部６１４は、操作パネル２０５において、設定指示部品が表示される表示領域を特定し、特定された表示領域に対する操作をアプリケーションに対する設定指示と対応付ける。
【０２４９】
本実施形態では、この対応付けにより、表示部品において、実行指示部品や設定指示部品が操作されたとき、表示部品と対応するアプリケーションに対して実行指示や設定指示を行うことができる。
【０２５０】
続いて、表示制御処理部６１０は、表示制御部６１３により、ホーム画面に表示される全ての表示部品と対応したアプリケーションについて、ステップＳ２５０４以降の処理を実行したか否かを判定する（ステップＳ２５０６）。ステップＳ２５０６において、全てのアプリケーションについて処理を実行していない場合、表示制御部６１３は、Ｎ＝Ｎ＋１として（ステップＳ２５０７）、ステップＳ２５０４へ戻る。
【０２５１】
ステップＳ２５０６において、全てのアプリケーションに対する処理が終了した場合、表示制御部６１３は、各アプリケーションに対応した拡大率情報と表示情報とに基づき、各アプリケーションと対応した表示部品を含むホーム画面用の画像を生成し、操作パネル２０５に表示させる（ステップＳ２５０８）。
【０２５２】
次に、図２６を参照し、ホーム画面１Ｃにおいて操作を受け付けた場合のホーム処理部６００の動作を説明する。図２６は、第三の実施形態のホーム処理部の動作を説明する第二のフローチャートである。
【０２５３】
本実施形態のホーム処理部６００は、入力受付部６１１により、ホーム画面において表示部品に対する操作を受け付けたか否かを判定する（ステップＳ２６０１）。ステップＳ２６０１において、操作を受け付けない場合、操作を受け付けるまで待機する。
【０２５４】
ステップＳ２６０１において、操作を受け付けた場合、表示制御処理部６１０は、接触位置検知部６１２により、操作を受け付けた位置が設定指示部品の表示領域であるか否かを判定する（ステップＳ２６０２）。つまり、表示制御処理部６１０は、ステップＳ２６０２において、設定指示がなされたか否かを判定している。
【０２５５】
ステップＳ２６０２において、設定指示がなされていない場合、表示制御処理部６１０は、後述するステップＳ２６０５へ進む。
【０２５６】
ステップＳ２６０２において、設定指示がなされた場合、要求出力部６１５は、設定指示部品と対応する設定指示要求を処理部６２０の設定指示部６２１へ出力する（ステップＳ２６０３）。設定指示部６２１は、この要求を受けて、操作を受け付けた表示部品と対応するアプリケーションに対し、設定指示を出力する（ステップＳ２６０４）。
【０２５７】
ステップＳ２６０２において、設定指示がなされていない場合、表示制御処理部６１０は、接触位置検知部６１２により、操作を受け付けた位置が実行指示部品の表示領域であるか否かを判定する（ステップＳ２６０５）。つまり、表示制御処理部６１０は、ステップＳ２６０５において、実行指示がなされたか否かを判定している。
【０２５８】
ステップＳ２６０５において、実行指示がなされていない場合、後述するステップＳ２６０８へ進む。
【０２５９】
ステップＳ２６０５において実行指示がなされた場合、要求出力部６１５は、実行指示部品と対応する実行指示要求を処理部６２０の実行指示部６２２へ出力する（ステップＳ２６０６）。実行指示部６２２は、この要求を受けて、操作を受け付けた表示部品と対応するアプリケーションに対し、実行指示を出力する（ステップＳ２６０７）。
【０２６０】
ステップＳ２６０５において、実行指示がなされていない場合、表示制御処理部６１０は、処理部６２０を介して、操作を受け付けた表示部品と対応するアプリケーションの起動要求を出力する（ステップＳ２６０８）。
【０２６１】
ここで、図２０を参照し、本実施形態のホーム画面１Ｂに表示された拡大表示部品１１Ａに対する操作を受け付けた場合のホーム処理部６００の動作を説明する。
【０２６２】
ホーム画面１Ｂにおいて、例えば設定指示部品１１１の設定部品１１１ａが操作されたとする。この場合、ホーム処理部６００は、接触位置検知部６１２により、操作パネル２０５において接触が検知された位置から、設定指示項目１１１内の設定部品１１１ａが操作されたことを検知する。
【０２６３】
設定部品１１１ａは、機能対応付け部６１４により、設定項目「変倍」に対して、部数を１部増加させる設定の指示を行う機能と対応付けられている。したがって、要求出力部６１５は、処理部６２０に対して、部数を１部増加させる設定の指示を要求する。
【０２６４】
処理部６２０は、この要求を受けて、設定指示部６２１により、部数を１部増加させる設定の指示をコピー処理部４００に対して行う。
【０２６５】
また、拡大表示部品１１Ａにおいて、実行指示部品１１３が操作された場合、ホーム処理部６００は、実行指示部品１１３が操作されたことを検知する。実行指示部品１１３は、コピー処理部４００に対してコピー処理の実行指示を行う機能と対応付けられている。
【０２６６】
よって、要求出力部６１５は、処理部６２０に対して、コピー処理の開始指示を要求する。処理部６２０は、この要求を受けて、実行指示部６２２により、コピー処理の実行指示をコピー処理部４００に対して行う。
【０２６７】
同様に、ホーム画面１Ｂにおいて、例えば拡大表示部品１２Ａの設定指示部品１２１が操作されたとする。この場合、ホーム処理部６００は、設定指示部品１２１が操作されたことを検知する。設定指示部品１２１は、スキャンした画像データの送信先を、送信先１に登録された送信先とする設定の指示を行う機能と対応付けられている。
【０２６８】
したがって、要求出力部６１５は、処理部６２０に対して、画像データの送信先を、送信先１に登録された送信先とする設定の指示を要求する。
【０２６９】
処理部６２０は、この要求を受けて、設定指示部６２１により、送信先を送信先１に登録された送信先とする設定の指示をスキャン処理部５００に対して行う。
【０２７０】
また、拡大表示部品１２Ａにおいて、実行指示部品１２３が操作された場合、ホーム処理部６００は、実行指示部品１２３が操作されたことを検知する。実行指示部品１１３は、スキャン処理部５００に対してスキャン処理の実行指示を行う機能と対応付けられている。
【０２７１】
よって、要求出力部６１５は、処理部６２０に対して、スキャン処理の開始指示を要求する。処理部６２０は、この要求を受けて、実行指示部６２２により、スキャン処理の開始指示をスキャン処理部５００に対して行う。
【０２７２】
以上のように、本実施形態によれば、ホーム画面から各アプリケーションに対する設定や処理の実行指示を行うことができる。このため、本実施形態によれば、ホーム画面から各アプリケーションのトップ画面に表示を遷移させることなく、アプリケーションに対する操作を行うことができる。
【０２７３】
尚、本実施形態では、操作装置２００に表示されたホーム画面を例として説明したが、これに限定されない。
【０２７４】
本実施形態では、例えばスマートフォンやタブレット型の携帯端末等、タッチパネル等にアプリケーションと対応する表示部品の一覧を表示させることが可能な情報処理装置であれば、適用できる。
【０２７５】
例えば、携帯端末等では、音楽再生機能を実現するアプリケーションと対応する表示部品を拡大させた拡大表示部品に、音楽の再生の実行を指示する実行指示部品と、音量の設定を指示する設定指示部品と、を表示させても良い。また、音量の設定を指示する設定指示部品の中には、音量を設定する設定部品を表示させても良い。
【０２７６】
また、携帯端末等では、電子メールの送受信機能を実現するアプリケーションと対応する表示部品を拡大させた拡大表示部品に、電子メールの送受信の実行を指示する実行指示部品と、受信した電子メールの一部をホーム画面上の所定領域に表示する処理の実行を指示する実行指示部品と、を表示させても良い。
【０２７７】
以上のように、本実施形態では、アプリケーションに対する設定や実行指示を行う場合に、操作パネルの表示を、ホーム画面から、各アプリケーションのトップ画面に遷移させなければならない、という制約を排除することができる。このため、本実施形態によれば、各アプリケーションに対する操作を簡単にすることができ、操作性を向上させることができる。
【０２７８】
以上、各実施形態に基づき本発明の説明を行ってきたが、上記実施形態に示した要件に本発明が限定されるものではない。これらの点に関しては、本発明の主旨をそこなわない範囲で変更することができ、その応用形態に応じて適切に定めることができる。
【符号の説明】
【０２７９】
１００  画像処理装置
２００  操作装置
３００  本体装置
４００  コピー処理部
４１０、６１０  表示制御処理部
４２０、６２０  処理部
４３０、６３０  記憶部
４３１、４３１Ａ、６３１  拡大率テーブル
４３２、４３２Ａ、６３２  表示情報テーブル
４３３  設定項目テーブル
５００  スキャン処理部
６００  ホーム処理部
６３３  アプリテーブル
【先行技術文献】
【特許文献】
【０２８０】
【特許文献１】特開２００９−１７３４０号公報
【図１】
2017058855.tif 000003
【図２】
2017058855.tif 000004
【図３】
2017058855.tif 000005
【図５】
2017058855.tif 000006
【図６】
2017058855.tif 000007
【図７】
2017058855.tif 000008
【図８】
2017058855.tif 000009
【図９】
2017058855.tif 000010
【図１０】
2017058855.tif 000011
【図１１】
2017058855.tif 000012
【図１２】
2017058855.tif 000013
【図１３】
2017058855.tif 000014
【図１４】
2017058855.tif 000015
【図１５】
2017058855.tif 000016
【図１６】
2017058855.tif 000017
【図１７】
2017058855.tif 000018
【図１９】
2017058855.tif 000019
【図２０】
2017058855.tif 000020
【図２１】
2017058855.tif 000021
【図２２】
2017058855.tif 000022
【図２３】
2017058855.tif 000023
【図２４】
2017058855.tif 000024
【図２５】
2017058855.tif 000025
【図２６】
2017058855.tif 000026
【図４】
2017058855.tif 000027
【図１８】
2017058855.tif 000028